(57)【要約】【課題】  文字板がすっきりしたデザインで、液晶表示部による表示情報を文字板に鮮明に発光表示させて見ることができる電子時計を提供する。【解決手段】  半透過型の文字板１０と、この文字板１０の上側を回転して時刻を指示する指針１６と、文字板１０の下側に配置されて情報表示領域１７ａに情報をネガ表示する液晶表示パネル１７と、液晶表示パネル１７の下面を照明する照明装置２０とを備えた。従って、非点灯時に文字板１０を通して液晶表示パネル１７が見えないため、文字板１０全体がすっきりしたデザインとなる。また、点灯時には照明装置１８から照明光が液晶表示パネル１７を透過し、この透過した光が半透過型の文字板１０に照射されて情報として鮮明に発光表示されるので、この発光表示された情報を鮮明に見ることができる。【選択図】        図３
2010038805.tif 000002
【特許請求の範囲】
【請求項１】
半透過型の文字板と、
この文字板の上側を回転して時刻を指示する指針と、
前記文字板の下側に配置されて情報表示領域に情報をネガ表示する液晶表示部と、
この液晶表示部の下面を照明する照明装置と、
を備えていることを特徴とする電子時計。
【請求項２】
前記液晶表示部は、透明な電極基板間に液晶を封入した液晶セルと、この液晶セルの上面に設けられた上側偏光板と、前記液晶セルの下面に設けられた下側偏光板とを備えていることを特徴とする請求項１に記載の電子時計。
【請求項３】
前記文字板の下面には、透過軸と直交する光振動面を持つ直線偏光を反射する反射型偏光板が配置されており、
前記液晶表示部は、透明な電極基板間に液晶を封入した液晶セルと、この液晶セルの下面に設けられて前記情報をネガ表示するための下側偏光板とを備えていることを特徴とする請求項１に記載の電子時計。
【請求項４】
光透過型の文字板と、
この文字板の上側を回転して時刻を指示する指針と、
前記文字板の下面に設けられた第１偏光板と、
この第１偏光板の下側に配置されて情報表示領域に情報をネガ表示する液晶表示部と、
この液晶表示部と前記第１偏光板との間に配置され、前記液晶表示部の前記情報表示領域に対応する光透過部を有する前記第１偏光板と逆位相の第２偏光板と、
前記液晶表示部の下面を照明する照明装置と、
を備えていることを特徴とする電子時計。
【請求項５】
前記液晶表示部は、透明な電極基板間に液晶を封入した液晶セルと、この液晶セルの下面に設けられて前記情報をネガ表示するための下側偏光板とを備えていることを特徴とする請求項４に記載の電子時計。
【請求項６】
前記第１偏光板は、透過軸と直交する光振動面を持つ直線偏光を反射する第１反射型偏光板であり、
前記第２偏光板は、透過軸と直交する光振動面を持つ直線偏光を反射する前記第１反射型偏光板と逆位相の第２反射型偏光板であり、
前記液晶表示部は、透明な電極基板間に液晶を封入した液晶セルと、この液晶セルの下面に設けられて前記情報をネガ表示するための下側偏光板とを備えていることを特徴とする請求項４に記載の電子時計。
【発明の詳細な説明】
【技術分野】
【０００１】
この発明は、電子腕時計などの電子時計に関する。
【背景技術】
【０００２】
従来、電子腕時計においては、特許文献１に記載されているように、半透光反射板の下に拡散フィルタを配置し、且つこの拡散フィルタの下に遮光プレートを配置することにより、文字板を構成し、この文字板の下側にＬＥＤ表示素子からなる発光表示部を設け、この発光表示部で表示情報として発光された光が文字板の遮光プレートに設けられた開口部および拡散フィルタを通して半透光反射板に照射されることにより、この照射された光が情報として半透光反射板の上方から見えるように構成されたものが知られている。
【特許文献１】特開平０８−１２２４６８
【発明の開示】
【発明が解決しようとする課題】
【０００３】
しかしながら、このような従来の電子腕時計では、発光表示部で表示情報として発光された光が半透光反射板に照射される際、発光表示部で発光された光が遮光プレートの開口部を通して拡散フィルタに照射されて拡散され、この拡散された光が半透光反射板に照射されて表示情報として表示されるため、半透光反射板に現れた表示情報がぼやけしまい、表示情報が鮮明に見えないという問題がある。
【０００４】
この発明が解決しようとする課題は、文字板がすっきりしたデザインで、液晶表示部による表示情報を文字板に鮮明に発光表示させて見ることができる電子時計を提供することである。
【課題を解決するための手段】
【０００５】
この発明は、上記課題を解決するために、次のような構成要素を備えている。
請求項１に記載の発明は、半透過型の文字板と、この文字板の上側を回転して時刻を指示する指針と、前記文字板の下側に配置されて情報表示領域に情報をネガ表示する液晶表示部と、この液晶表示部の下面を照明する照明装置と、を備えていることを特徴とする電子時計である。
【０００６】
請求項２に記載の発明は、前記液晶表示部が、透明な電極基板間に液晶を封入した液晶セルと、この液晶セルの上面に設けられた上側偏光板と、前記液晶セルの下面に設けられた下側偏光板とを備えていることを特徴とする請求項１に記載の電子時計である。
【０００７】
請求項３に記載の発明は、前記文字板の下面に、透過軸と直交する光振動面を持つ直線偏光を反射する反射型偏光板が配置されており、前記液晶表示部は、透明な電極基板間に液晶を封入した液晶セルと、この液晶セルの下面に設けられて前記情報をネガ表示するための下側偏光板とを備えていることを特徴とする請求項１に記載の電子時計である。
【０００８】
請求項４に記載の発明は、光透過型の文字板と、この文字板の上側を回転して時刻を指示する指針と、前記文字板の下面に設けられた第１偏光板と、この第１偏光板の下側に配置されて情報表示領域に情報をネガ表示する液晶表示部と、この液晶表示部と前記第１偏光板との間に配置され、前記液晶表示部の前記情報表示領域に対応する光透過部を有する前記第１偏光板と逆位相の第２偏光板と、前記液晶表示部の下面を照明する照明装置と、を備えていることを特徴とする電子時計である。
【０００９】
請求項５に記載の発明は、前記液晶表示部が、透明な電極基板間に液晶を封入した液晶セルと、この液晶セルの下面に設けられて前記情報をネガ表示するための下側偏光板とを備えていることを特徴とする請求項４に記載の電子時計である。
【００１０】
請求項６に記載の発明は、前記第１偏光板が、透過軸と直交する光振動面を持つ直線偏光を反射する第１反射型偏光板であり、前記第２偏光板は、透過軸と直交する光振動面を持つ直線偏光を反射する前記第１反射型偏光板と逆位相の第２反射型偏光板であり、前記液晶表示部は、透明な電極基板間に液晶を封入した液晶セルと、この液晶セルの下面に設けられて前記情報をネガ表示するための下側偏光板とを備えていることを特徴とする請求項４に記載の電子時計である。
【発明の効果】
【００１１】
この発明によれば、非点灯時には文字板を通してその下側の液晶表示部が見えないので、文字板全体がすっきりしたデザインとなり、また点灯時には液晶表示部を透過した表示情報の光が文字板に照射されることにより、液晶表示部による表示情報を文字板に鮮明に発光表示させることができるので、この発光表示された情報を鮮明に見ることができる。
【発明を実施するための最良の形態】
【００１２】
（実施形態１）
以下、図１〜図７を参照して、この発明を適用した電子腕時計の実施形態１について説明する。
この電子腕時計は、図１および図２に示すように、腕時計ケース１を備えている。この腕時計ケース１の上側開口部には、時計ガラス２がパッキン２ａを介して取り付けられている。この腕時計ケース１の下面には、図２に示すように、裏蓋３が防水リング３ａを介して取り付けられており、この腕時計ケース１の３時側と９時側との各側面には、押釦スイッチＳＷが設けられている。
【００１３】
また、この腕時計ケース１の内部には、図１および図２に示すように、時計モジュール４が設けられている。この時計モジュール４は、図２に示すように、上部ハウジング５と下部ハウジング６とを備えている。この上部ハウジング５と下部ハウジング６とは、その両者の間に回路基板７が配置され、下部ハウジング６の下面に配置された地板８のフック部８ａが上部ハウジング５の側面に係止されることにより、相互に取り付けられている。
【００１４】
また、上部ハウジング５の上面には、図２に示すように、上から順に、文字板１０とソーラーパネル１１とが設けられている。この文字板１０は、図２に示すように、その上面における外周縁が見切部材１２によって押え付けられている。ソーラーパネル１１は、外部光を受光して発電するものであり、図２に示すように、接続部材１３によって回路基板７と電気的に接続されている。
【００１５】
この上部ハウジング５内には、時計ムーブメント（図示せず）が設けられている。この時計ムーブメントは、図１および図２に示すように、その指針軸１４が文字板１０およびソーラーパネル１１の中心部に設けられた貫通孔１５を通して文字板１０の上方に突出し、この突出した上部に秒針、分針、時針などの指針１６が取り付けられ、この指針１６が文字板１０の上方を運針して時刻を指示するように構成されている。
【００１６】
また、この上部ハウジング５内には、図１および図２に示すように、液晶表示パネル１７がソーラーパネル１１の６時側の一部分に対応して設けられている。この液晶表示パネル１７は、図２に示すように、インターコネクタ１８によって回路基板７と電気的に接続された状態で回路基板７上に支持されている。この液晶表示パネル１７に対応する回路基板７上には、液晶表示パネル１７の下面側を照明するための照明装置２０が設けられている。
【００１７】
また、下部ハウジング６の６時側に位置する内部には、図２に示すように、釦型の電池２１が回路基板７と電気的に接続された状態で設けられている。また、この下部ハウジング６と上部ハウジング５との両者に跨る１２時側に位置する内部には、図２に示すように、標準時刻電波を受信するアンテナ２２が回路基板７と電気的に接続された状態で設けられている。
【００１８】
ところで、文字板１０は、半透過型のものであり、図３および図４に示すように、全体がほぼ円形状に形成され、その周縁部上に時字１０ａが円周に沿って等間隔で設けられた構成になっている。この文字板１０の下側に配置されたソーラーパネル１１は、図３および図５に示すように、発電領域１１ａが放射状に分割形成されている。このソーラーパネル１１には、光を透過する光透過部である開口部２３が、液晶表示パネル１７の後述する情報表示領域１７ａに対応して設けられている。
【００１９】
このソーラーパネル１１の下側に配置された液晶表示パネル１７は、図３に示すように、透明な電極基板２５間に液晶(図示せず)を封入した液晶セル２４と、この液晶セル２４の上面に設けられた上側偏光板２６と、液晶セル２４の下面に設けられた下側偏光板２７とを備え、図６に示すように、情報表示領域１７ａ内に情報をセグメント形状でネガ表示（つまり表示情報を光透過状態で表示）するように構成されている。
【００２０】
この場合、情報表示領域１７ａは、図６に示すように、ほぼ２つの領域に分割され、各領域に情報を表示するための「日」の字形状のセグメントが２つずつ並んで設けられている。これにより、ソーラーパネル１１の開口部２３は、図５(ａ)および図５（ｂ）に示すように、液晶表示パネル１７の情報表示領域１７ａに対応して２つに分割形成されている。
【００２１】
この液晶表示パネル１７の下側に配置された照明装置２０は、図３および図７に示すように、発光ダイオード（ＬＥＤ）や豆ランプなどの発光素子２８と、導光板２９とを備え、発光素子２８からの光を導光板２９の側面から採り込み、この採り込んだ光を導光板２９内で導きながら、その上面から放出して、液晶表示パネル１７の下面全体をほぼ均等に照明するように構成されている。
【００２２】
このような電子腕時計によれば、図１および図２に示すように、照明装置２０を点灯しない通常の状態では、指針１６が文字板１０の上方を運針することにより、この指針１６によって時刻を指示することができるが、半透過型の文字板１０を通して、その下側の液晶表示パネル１７が見えないため、文字板１０が液晶表示パネル１７によってデザインの影響を受けることがなく、文字板１０全体がすっきりしたデザインとなる。
【００２３】
また、この電子腕時計では、照明装置２０を点灯させて液晶表示パネル１７を駆動すると、この液晶表示パネル１７によって日付や曜日を文字板１０の６時側に表示することができる。すなわち、照明装置２０によって液晶表示パネル１７の下面側が照明されると、その照明光が液晶表示パネル１７でセグメント表示された表示部分を透過し、この透過した光がソーラーパネル１１の開口部２３を透過することにより、液晶表示パネル１７を透過した光を半透過型の文字板１０に直接照射することができる。
【００２４】
このため、この電子腕時計では、液晶表示パネル１７によるネガ表示の情報を文字板１０に鮮明に発光表示させることができ、これにより発光表示された情報を文字板１０の上方から鮮明に見ることができる。このときには、液晶表示パネル１７による表示情報のみが文字板１０に発光表示されるので、これによっても文字板１０全体がすっきりしたデザインとなる。
【００２５】
この場合、液晶表示パネル１７は、透明な電極基板２５間に液晶を封入した液晶セル２４と、この液晶セル２４の上面に設けられた上側偏光板２６と、液晶セル２４の下面に設けられた下側偏光板２７とを備えた構成であるから、照明装置２０で照明されると、その照明光を下側偏光板２７、液晶セル２４、および上側偏光板２６で表示情報として選択して透過させることができ、この透過した表示情報としての光を半透過型の文字板１０に確実に照射させることができるので、情報を文字板１０に鮮明に発光表示させることができる。
【００２６】
また、ソーラーパネル１１は、光透過部である開口部２３が液晶表示パネル１７の情報表示領域１７ａに対応して設けられた構成であるから、液晶表示パネル１７の全体を大きく形成しても、その液晶表示パネル１７の大きさによってソーラーパネル１１の開口部２３が大きくならず、開口部２３を最小限に小さく形成することができる。このため、ソーラーパネル１１は、発電領域１１ａを十分に広く形成することができ、これにより発電性能を十分に確保することができる。
【００２７】
（実施形態２）
次に、図８および図９を参照して、この発明を適用した電子腕時計の実施形態２について説明する。なお、図１〜図７に示された実施形態１と同一部分には同一符号を付して説明する。
この電子腕時計は、文字板１０の下面に反射型偏光板３０を設け、これに伴って液晶表示パネル１７の液晶セル２４の下面のみに下側偏光板３１を設けた構成であり、これ以外は実施形態１とほぼ同じ構成になっている。
【００２８】
この反射型偏光板３０は、透過軸と直交する光振動面を持つ直線偏光を反射する偏光板（例えば、ＤＢＥＦ（登録商標））であり、図９に示すように、全体が文字板１０とほぼ同じ大きさに形成されていると共に、その中心部に指針軸１４が挿入する貫通孔１５が設けられ、図８に示すように、文字板１０とソーラーパネル１１との間に配置されている。
【００２９】
また、この反射型偏光板３０は、ソーラーパネル１１の開口部２３を介して液晶表示パネル１７の情報表示領域１７ａに対応しているため、液晶表示パネル１７の上側偏光板の役目も兼ねている。このため、液晶表示パネル１７は、図８に示すように、液晶セル２４の下面のみに、情報をネガ表示（つまり情報表示を透過状態で表示）するための下側偏光板３１を設けた構成になっている。
【００３０】
このような電子腕時計によれば、照明装置２０を点灯しない通常の状態では、実施形態１と同様、半透過型の文字板１０を通して、その下側の液晶表示パネル１７が見えないため、文字板１０全体がすっきりしたデザインになるほか、文字板１０の下面に設けられた反射型偏光板３０が透過軸と直交する光振動面を持つ直線偏光を反射するので、通常の状態で文字板１０全体が金属調に見えることになり、これにより高級感のあるものを得ることができる。
【００３１】
また、この電子腕時計では、照明装置２０を点灯して液晶表示パネル１７を駆動すると、照明装置２０の照明光が液晶表示パネル１７でセグメント表示された表示部分を透過し、この透過した光がソーラーパネル１１の開口部２３および反射型偏光板３０を透過して半透過型の文字板１０に照射されるので、液晶表示パネル１７による表示情報を、金属調に見える文字板１０に鮮明に発光表示させることができ、これにより発光表示された情報を文字板１０の上方から鮮明に見ることができると共に、液晶表示パネル１７による表示情報のみが文字板１０に発光表示されるので、これによっても文字板１０全体がすっきりしたデザインとなる。
【００３２】
なお、上記実施形態１、２では、ソーラーパネル１１に開口部２３を設けた場合について述べたが、これに限らず、図１０に示す第１変形例のように構成しても良い。すなわち、このソーラーパネル３２は、透明な樹脂からなるベース部材３２ａの一面（図１０では上面）に、液晶表示パネル１７の情報表示領域１７ａに対応する箇所を除いて、発電層３２ｂを設け、この発電層３２ｂが設けられていない箇所に光透過部である窓部３３を設けた構成になっている。
【００３３】
このようにソーラーパネル３２を構成しても、照明装置２０で液晶表示パネル１７が照明されて、その照明光が液晶表示パネル１７を透過すると、その透過した光がソーラーパネル３２の窓部３３を通して文字板１０に照射されるので、実施形態１、２と同様、液晶表示パネル１７による表示情報を文字板１０に鮮明に発光表示させることができ、これにより発光表示された情報を文字板１０の上方から鮮明に見ることができる。
【００３４】
（実施形態３）
次に、図１１および図１２を参照して、この発明を適用した腕時計の実施形態３について説明する。この場合にも、図１〜図７に示された実施形態１と同一部分に同一符号を付して説明する。
この電子腕時計は、図１１に示すように、光透過型の文字板３５を用い、この文字板３５の下面に第１偏光板３６を設け、この第１偏光板３６の下面にこれと逆位相の第２偏光板３７を設け、これに伴って液晶表示パネル１７の液晶セル２４の下面のみに下側偏光板３８を設けた構成であり、これ以外は実施形態１とほぼ同じ構成になっている。
【００３５】
すなわち、この文字板３５は、透明な材料からなる光透過型のものであり、図１２（ａ）に示すように、実施形態１と同じ形状に形成されている。第１偏光板３６は、図１２（ｂ）に示すように、文字板３５と同じ大きさに形成されていると共に、その中心部に指針軸１４が挿入する貫通孔１５が設けられ、文字板３５の下面に設けられている。
【００３６】
また、第２偏光板３７は、第１偏光板３６と逆位相の偏光板であり、図１２（ｃ）に示すように、第１偏光板３６と同じ大きさに形成されていると共に、その中心部に指針軸１４が挿入する貫通孔１５が設けられているほか、液晶表示パネル１７の情報表示領域１７ａに対応する箇所に光透過部である開口部３７ａが設けられている。
【００３７】
これにより、文字板３５は、外部光が上方から透過して第１偏光板３６に照射されると、この第１偏光板３６で直線偏光成分の光のみが透過し、この透過した直線偏光成分の光が逆位相の第２偏光板３７で吸収されることにより、文字板３５のほぼ全体が黒色に見えるように構成されている。
【００３８】
また、第１偏光板３６は、図１１に示すように、第２偏光板３７の開口部３７ａを介して液晶表示パネル１７の情報表示領域１７ａに対応しているため、液晶表示パネル１７の上側偏光板の役目も兼ねている。このため、液晶表示パネル１７は、図１１に示すように、液晶セル２４の下面のみに、情報をネガ表示（つまり情報表示を透過状態で表示）するための下側偏光板３８を設けた構成になっている。
【００３９】
このような電子腕時計によれば、照明装置２０を点灯しない通常の状態では、外部光が文字板３５を透過して第１偏光板３６に照射されると、この第１偏光板３６で直線偏光成分の光が透過し、この透過した直線偏光成分の光が逆位相の第２偏光板３７で吸収されることにより、文字板３５のほぼ全体が黒色に見える。このとき、第２偏光板３７の開口部３７ａを通して液晶表示パネル１７に照射された直線偏光成分の光は、液晶セル２４の下面に設けられた下側偏光板３８で吸収されることにより、文字板３５の全体が黒色に見えるほか、実施形態１と同様、液晶表示パネル１７が見えないため、文字板３５全体がすっきりしたデザインとなる。
【００４０】
また、この電子腕時計では、照明装置２０を点灯させて液晶表示パネル１７を駆動すると、液晶表示パネル１７の下面に照射された照明光が液晶表示パネル１７でセグメント表示された表示部分を透過し、この透過した光が第２偏光板３７の開口部３７ａを透過して第１偏光板３６に照射され、この照射された光の直線偏光が光透過型の文字板３５に照射されるので、液晶表示パネル１７による表示情報を、黒色に見える文字板３５に鮮明に発光表示することができ、これにより発光表示された情報を文字板３５の上方から鮮明に見ることができると共に、液晶表示パネル１７による表示情報のみが文字板３５に発光表示されるので、これによっても文字板３５全体がすっきりしたデザインとなる。
【００４１】
（実施形態４）
次に、図１３および図１４を参照して、この発明を適用した電子腕時計の実施形態４について説明する。この場合には、図１１および図１２に示された実施形態３と同一部分に同一符号を付して説明する。
この電子腕時計は、図１３に示すように、光透過型の文字板３５の下面に第１反射型偏光板４０を設け、この第１反射偏光板４０の下面にこれと逆位相の第２反射型偏光板４１を設けた構成であり、これ以外は実施形態３とほぼ同じ構成になっている。
【００４２】
この場合にも、文字板３５は、透明な材料からなる光透過型のものであり、図１４（ａ）に示すように、実施形態１と同じ形状に形状されている。第１反射型偏光板４０は、透過軸と直交する光振動面を持つ直線偏光を反射する偏光板（例えば、ＤＢＥＦ（登録商標））であり、図１４（ｂ）に示すように、文字板３５と同じ大きさに形成されていると共に、その中心部に指針軸１４が挿入する貫通孔１５が設けられ、文字板３５の下面に設けられている。
【００４３】
第２反射型偏光板４１は、第１反射型偏光板４０と同様、透過軸と直交する光振動面を持つ直線偏光を反射する第１反射型偏光板４０と逆位相の偏光板（例えば、ＤＢＥＦ（登録商標））であり、図１４（ｃ）に示すように、第１反射方偏光板４０と同じ大きさに形成されていると共に、その中心部に指針軸１４が挿入する貫通孔１５が設けられているほか、液晶表示パネル１７の情報表示領域１７ａに対応する箇所に光透過部である開口部４１ａが設けられている。
【００４４】
これにより、文字板３５は、外部光が上方から透過して第１反射型偏光板４０に照射されると、この第１反射型偏光板４０が透過軸と直交する光振動面を持つ直線偏光を反射するので、文字板３５の全体が金属調に見るように構成されている。また、この第１反射型偏光板４０は、第２反射型偏光板４１の開口部４１ａを介して液晶表示パネル１７の情報表示領域１７ａに対応しているため、液晶表示パネル１７の上側偏光板の役目も兼ねている。このため、液晶表示パネル１７は、図１３に示すように、液晶セル２４の下面のみに、情報をネガ表示（つまり情報表示を透過状態で表示）するための下側偏光板３８を設けた構成になっている。
【００４５】
このような電子腕時計では、照明装置２０を点灯しない通常の状態では、外部光が文字板３５を透過して第１反射型偏光板４０に照射されると、この第１反射型偏光板４０が透過軸と直交する光振動面を持つ直線偏光を反射するので、文字板３５の全体が金属調に見えることなり、これにより高級感のあるものを得ることができる。
【００４６】
このとき、第１反射型偏光板４０を透過した光が逆位相の第２反射型偏光板４１に照射されると、この第２反射型偏光板４１で吸収される。また、第２反射型偏光板４１の開口部４１ａを通して液晶表示パネル１７に照射された直線偏光成分の光は、液晶セル２４の下面に設けられた下側偏光板３８で吸収されることにより、実施形態１と同様、液晶表示パネル１７が見えないため、文字板３５の全体がすっきりしたデザインとなる。
【００４７】
また、この電子腕時計では、照明装置２０を点灯させて液晶表示パネル１７を駆動すると、液晶表示パネル１７の下面に照射された照明光が液晶表示パネル１７でセグメント表示された表示部分を透過し、この透過した光が第２反射型の偏光板４１の開口部４１ａを透過して第１反射型偏光板４０に照射されるので、この照射された直線偏光成分の光を第１反射型偏光板４０で光透過型の文字板３５に照射させることができる。
【００４８】
このため、この電子腕時計においても、液晶表示パネル１７による表示情報を、金属調に見える文字板３５に鮮明に発光表示することができ、これにより発光表示された情報を文字板３５の上方から鮮明に見ることができると共に、液晶表示パネル１７による表示情報のみが文字板３５に発光表示されるので、これによっても文字板３５全体がすっきりしたデザインとなる。
【００４９】
なお、上記実施形態３、４では、第２偏光板３７または第２反射型偏光板４１の下側に液晶表示パネル１７を配置した場合について述べたが、これに限らず、例えば第２偏光板３７または第２反射型偏光板４１と液晶表示パネル１７との間に、実施形態１、２およびその第１変形例と同様、ソーラーパネル１１、３２を配置した構成でも良い。この場合にも、ソーラーパネル１１、３２は、液晶表示パネル１７の情報表示領域１７ａに対応する開口部２３または窓部３３を設けた構成であれば良い。
【００５０】
また、上記実施形態１〜４およびその各変形例では、液晶表示パネル１７がその情報表示領域１７ａにおける「日」の字形状の各セグメント表示を光が透過する構成である場合について説明したが、これに限らず、例えば図１５に示す第２変形例のように、「日」の字形状の各セグメント表示部分を除いて、情報表示領域１７ａにクロムなど金属蒸着や黒色印刷などによるマスク部４５を設けた構成でも良い。
【００５１】
このように構成すれば、マスク部４５によって「日」の字形状の各セグメント表示部分以外から光が漏れるのを確実に防ぐことができ、これにより液晶表示パネル１７を透過する光を確実に絞り込んで規制することができるので、より一層、情報を鮮明に発光表示させることができる。
【００５２】
また、上記実施形態１〜４およびその各変形例では、液晶表示パネル１７がその情報表示領域１７ａに「日」の字形状の各セグメント表示部分を設けた構成である場合について述べたが、これに限らず、例えば表示領域内に情報をドット状に表示する液晶表示パネルを用いても良い。この場合にも、液晶表示パネルは、情報表示を透過状態で表示するネガ表示であれば良い。
【００５３】
さらに、上記実施形態１〜４およびその各変形例では、照明装置１８が、発光素子２８と、導光板２９とを備えた構成である場合について述べたが、これに限らず、例えば、図１６（ａ）および図１６（ｂ）に示す第３変形例のように、ＥＬ（エレクトロルミネッセンス）発光素子などの平面発光型の照明装置４６を用いても良い。
【００５４】
なおまた、上記実施形態１〜４およびその各変形例では、電子腕時計に適用した場合について述べたが、必ずしも電子腕時計である必要はなく、例えばトラベルウオッチ、目覚まし時計、置き時計、掛け時計などの各種の電子時計に広く適用することができる。
【図面の簡単な説明】
【００５５】
【図１】この発明を電子腕時計に適用した実施形態１の拡大正面図である。
【図２】図１のＡ−Ａ矢視における拡大断面図である。
【図３】図２において文字板、ソーラーパネル、液晶表示パネル、照明装置の対応関係を示した要部の拡大断面図である。
【図４】図３の文字板を示した拡大正面図である。
【図５】図３のソーラーパネルを示し、（ａ）はその拡大正面図、（ｂ）はそのソーラーパネルの開口部に液晶表示パネルが対応した状態を示した拡大正面図である。
【図６】図３の液晶表示パネルを示した拡大正面図である。
【図７】図３の照明装置を示した拡大正面図である。
【図８】この発明を電子腕時計に適用した実施形態２において要部を示した拡大断面図である。
【図９】図８の文字板および第１反射型偏光板を示し、（ａ）はその文字板を示した拡大正面図、（ｂ）はその第１反射型偏光板を示した拡大正面図である。
【図１０】実施形態１、２のソーラーパネルの第１変形例を示した要部の拡大断面図である。
【図１１】この発明を電子腕時計に適用した実施形態３において要部を示した拡大断面図である。
【図１２】図１１の文字板、第１、第２の各偏光板を示し、（ａ）はその文字板を示した拡大正面図、（ｂ）はその第１偏光板を示した拡大正面図、（ｃ）はその第２偏光板を示した拡大正面図である。
【図１３】この発明を電子腕時計に適用した実施形態４において要部を示した拡大断面図である。
【図１４】図１３の文字板、第１、第２の各反射型偏光板を示し、（ａ）はその文字板を示した拡大正面図、（ｂ）はその第１反射型偏光板を示した拡大正面図、（ｃ）はその第２反射型偏光板を示した拡大正面図である。
【図１５】実施形態１〜４において液晶表示パネルの第２変形例を示した拡大正面図である。
【図１６】実施形態１〜４において照明装置の第３変形例を示し、（ａ）はその拡大正面図、（ｂ）はその拡大側面図である。
【符号の説明】
【００５６】
１  腕時計ケース
４  時計モジュール
１０、３５  文字板
１１、３２  ソーラーパネル
１７  液晶表示パネル
１７ａ  情報表示領域
２０、４６  照明装置
２３、３７ａ、４１ａ  開口部
２４  液晶セル
２５  透明な電極基板
２６  上側偏光板
２７、３１、３８  下側偏光板
２８  発光素子
２９  導光板
３０  反射型偏光板
３３  窓部
３６  第１偏光板
３７  第２偏光板
４０  第１反射型偏光板
４１  第２反射型偏光板
４５  マスク部
【図１】
2010038805.tif 000003
【図２】
2010038805.tif 000004
【図３】
2010038805.tif 000005
【図４】
2010038805.tif 000006
【図５】
2010038805.tif 000007
【図６】
2010038805.tif 000008
【図７】
2010038805.tif 000009
【図８】
2010038805.tif 000010
【図９】
2010038805.tif 000011
【図１０】
2010038805.tif 000012
【図１１】
2010038805.tif 000013
【図１２】
2010038805.tif 000014
【図１３】
2010038805.tif 000015
【図１４】
2010038805.tif 000016
【図１５】
2010038805.tif 000017
【図１６】
2010038805.tif 000018